(57)【特許請求の範囲】
【請求項１】
無数の透過孔を有するかご部材と、そのかご部材の上方に載置する蓋部材とからなる流し用ゴミ収容器であって、
前記かご部材の底面に、最深のゴミ貯留部と、そのゴミ貯留部から連続して立ち上がる傾斜部とを備える一方、前記蓋部材に、前記かご部材の傾斜部へ向けて排水を流下させる案内孔を設け、当該案内孔における前記ゴミ貯留部に近い側の周縁に沿って、先端を前記傾斜部へ向けたガイド片を、先端を前記かご部材の傾斜部から離した状態で連設したことを特徴とする流し用ゴミ収容器。
【発明の詳細な説明】
【０００１】
【発明の属する技術分野】
本発明は、台所の流し等において、排水に混じったゴミを収容するために、排水口本体に設置される流し用ゴミ収容器に関するものである。
【０００２】
【従来の技術】
従来の流し用ゴミ収容器としては、周囲に無数の流下孔が穿設された有底筒状に形成されたものが知られている。かかる従来の流し用ゴミ収容器は、円筒状の排水口本体に嵌め込んだ状態で使用され、排水を流下孔から排出し、排水中にゴミが混じっている場合には、そのゴミを内部に貯留する。
【０００３】
【発明が解決しようとする課題】
しかしながら、上記従来の流し用ゴミ収容器は、新たな後続の排水が、常に、貯留したゴミの内部を通って流下するため、排水の汚れ度合いが一層高いものとなってしまう、という問題点を有していた。
【０００４】
本発明の目的は、上記従来の流し用ゴミ収容器の問題点を解消し、既に貯留したゴミ内を流下することによって新たな後続の排水の汚れ度合いが高くなる事態を防止することができ、環境悪化の防止に貢献し得る流し用ゴミ収容器を提供することにある。
【０００５】
【課題を解決するための手段】
本発明の内、請求項１に記載の発明の構成は、無数の透過孔を有するかご部材と、そのかご部材の上方に載置する蓋部材とからなる流し用ゴミ収容器であって、前記かご部材の底面に、最深のゴミ貯留部と、そのゴミ貯留部から連続して立ち上がる傾斜部とを備える一方、前記蓋部材に、前記かご部材の傾斜部へ向けて排水を流下させる案内孔を設け、当該案内孔における前記ゴミ貯留部に近い側の周縁に沿って、先端を前記傾斜部へ向けたガイド片を、先端を前記かご部材の傾斜部から離した状態で連設したことにある。
【０００７】
【発明の実施の形態】
以下、本発明の流し用ゴミ収容器（以下、単にゴミ収容器という）について、図面にしたがって詳細に説明する。図１〜図３は、本発明のゴミ収納器、およびゴミ収納器が設置される排水口本体を示したものである。ゴミ収容器１は、かご部材２と、蓋部材３とからなり、円筒状の排水口本体１１の開口部際に設置された状態で用いられる。
【０００８】
かご部材２は、枠体４とかご本体５とによって形成されている。枠体４は、ポリプロピレンによって、蓋部材３の外周と略同一の大きさを有する扁平なリング状に形成されており、裏側に、内外一対の周状突起６が突設されている。一方、かご本体５は、金網が折り曲げ形成されたものであり、全体が下に凸な略半球面状を有している。また、中央には、ゴミ貯留部７が設けられており、最も深底になっている。さらに、そのゴミ貯留部７の周囲には、傾斜部１３が設けられており、ゴミ貯留部７から連続して立ち上がった状態（上方に向かって傾斜した状態）になっている。かかるかご本体５は、開口部際が、枠体４の裏側の周状突起６によって挟持された状態になっている。
【０００９】
一方、蓋部材３は、ポリプロピレンによって、枠体４の外周と略同一の大きさを有する円盤状に一体形成されている。そして、中央に、排水を流下させない流下阻止部８が設けられており、その流下阻止部８の周囲に、排水を傾斜部１３に向けて流下させるための３つの案内孔９，９・・が穿設されている。なお、各案内孔９，９・・は、円弧状に折れ曲がった形状を有しており、中心に対して１２０゜間隔の放射線状に配置した状態になっている。また、流下阻止部８の上面の面積は、ゴミ貯留部７の上面の面積よりも大きくなっている。さらに、各案内孔９，９・・におけるゴミ貯留部７に近い側の周縁に沿って、ガイド片１０，１０・・が下向きに突設されている。各ガイド片１０，１０・・は、その先端を、かご本体５の傾斜部１３の方向へ向けた状態になっている。
【００１０】
上記ゴミ収容器１は、台所の流し等において、図２、図３の如く、排水口本体１１の開口部際の内側に設けられたフランジ部１２に、枠体４の周縁端際を載置し、その枠体４の上方に蓋部材３を載置することによって、排水口本体１１の開口部際に設置する。設置されたゴミ収容器１においては、図４の如く、排水が、案内孔９，９・・を通って流下する。また、その際に排水は、各案内孔９，９・・に設けられたガイド片１０，１０・・によって、中央から外側へ放射線状に拡散されながら、傾斜部１３に向かって流下する。さらに、排水にゴミが混じっている場合には、そのゴミは、各案内孔９，９・・を通って流下した後に、かご本体５の傾斜部１３によって塞き止められて下方に落下し、やがてゴミ貯留部７内に貯留する。そして、ゴミがゴミ貯留部７内に貯留した後には、新たな後続の排水は、ゴミ貯留部７内のゴミＧと接触することなくかご本体５の外側に排出される。なお、かご本体５は、全体が比較的に浅底に形成されているため、かご本体５の外側に排出された後に排水口本体１１の内壁に衝突した排水が、再度かご本体５の内部に入り込んだりしない。
【００１１】
上記の如く、ゴミ収容器１は、かご部材２にゴミ貯留部７と傾斜部１３とが設けられているとともに、蓋部材３に傾斜部１３に向けて排水を流下させる案内孔９，９・・が設けられており、新たな後続の排水が、ゴミ貯留部７内に貯留したゴミＧと接触することなくかご本体５の外側に排出されるため、ゴミ貯留部７内のゴミＧの影響によって新たな後続の排水の汚れ度合いが高くなる事態が防止される。したがって、従来の流し用ゴミ収容器に比べて、排水の汚れ度合いを低レベルに抑えることができる。
【００１２】
また、ゴミ収容器１は、先端が傾斜部１３へ向いたガイド片１０，１０・・によって、排水を非常にスムーズに、かつ確実に、かご本体５の外部に排出することができる。したがって、ゴミ収容器１は、新たな後続の排水の汚れ度合いが高くなる事態をきわめて効率良く防止することができる。
【００１３】
加えて、ゴミ収容器１は、蓋部材３の流下阻止部８の上面の面積が、ゴミ貯留部７の上面の面積よりも大きくなっているため、新たな後続の排水が勢い良く流れない場合であっても、排水は、決してゴミ貯留部７内に貯留したゴミＧと接触したりしない。
【００１４】
なお、本発明のゴミ収容器は、上記実施形態の態様に何ら限定されるものではなく、かご部材、蓋部材等の形状、構造、材質等の構成を、必要に応じて適宜変更することができる。
【００１５】
たとえば、ゴミ収容器は、図５、図６の如く、かご部材および蓋部材の形状を変更することができる。この変更例においては、かご部材２ａは、かご本体５の片側（図６における右側）にゴミ貯留部７が設けられており、最も深底になっている。そして、かご本体５の反対側（図６における左側）のゴミ貯留部７の周囲に、ゴミ貯留部７から連続して立ち上がった（上方に向かって傾斜した）傾斜部１３が設けられている。一方、蓋部材３ａは、片側（図６における左側）に、排水を傾斜部１３に向けて流下させるための弓形の案内孔９が設けられており、案内孔９以外の部分が流下阻止部８になっている。また、案内孔９におけるゴミ貯留部７に近い側の周縁に沿って、先端を傾斜部１３へ向けたガイド片１０が下向きに突設されている。なお、上記実施形態のゴミ収容器１と同様に、流下阻止部８の上面の面積が、ゴミ貯留部７の上面の面積より大きくなっている。かかる如く構成されたゴミ収容器１ａは、蓋部材３ａを、その案内孔９が傾斜部１３と同じ側に位置するように設置して使用する。そのように使用することによって、ゴミ収容器１ａは、上記実施形態のゴミ収容器１と同様に、新たな後続の排水を、ゴミ貯留部７内に貯留したゴミＧと接触させることなくかご本体５の外側に排出するため、新たな後続の排水の汚れ度合いが高くなる事態をきわめて効率良く防止することができる。また、上記の如く、蓋部材３ａが片側に案内孔９を設けたものである場合には、ゴミ貯留部７と傾斜部１３とが区切られた形状のかご本体５以外に、片側から反対側に向けてただ単に下向きに傾斜した形状のかご本体５を用いることもできる。かかる場合には、ゴミ収容器１ａは、蓋部材３ａを、その案内孔９が浅底側に位置するように設置して使用する。
【００１６】
また、ゴミ収容器は、図７、図８の如く、かご部材および蓋部材の形状を変更することも可能である。この変更例においては、かご部材２ｂは、外周が円筒状であり、周縁に、最も深底になるようにゴミ貯留部７が設けられている。そして、ゴミ貯留部７の内側の周囲に、ゴミ貯留部７から連続して立ち上がった（上方に向かって傾斜した）傾斜部１３が設けられており、かご本体５の中央が隆起した状態になっている。一方、蓋部材３ｂは、上記実施形態のゴミ収容器１の蓋部材３と同様に、円盤状に一体形成されており、中央の流下阻止部８の周囲に、排水を傾斜部１３に向けて流下させるための３つの案内孔９，９・・が穿設されている。さらに、各案内孔９，９・・におけるゴミ貯留部７に近い側の周縁に沿って、先端を傾斜部１３へ向けたガイド片１０，１０・・が下向きに突設されている。なお、蓋部材３ｂの周縁に設けられた流下阻止部８の上面の面積は、ゴミ貯留部７の上面の面積より大きくなっている。かかる如く構成されたゴミ収容器１ｂも、上記実施形態のゴミ収容器１と同様に、新たな後続の排水を、ゴミ貯留部７内に貯留したゴミＧと接触させることなくかご本体５の外側に排出するため、新たな後続の排水の汚れ度合いが高くなる事態をきわめて効率良く防止することができる。
【００１７】
一方、蓋部材は、ポリプロピレンによって形成されたものに限定されず、その他の合成樹脂や金属等によって形成されたものでも良い。さらに、３個の案内孔が設けられたものに限定されず、２個以下、あるいは４個以上の案内孔が設けられたものでも良く、必要に応じて適宜、形状を変更することができる。
【００１８】
また、かご部材は、かご本体と枠体とからなるものに限定されず、かご本体と枠体とが一体的に形成されたものでも良い。さらに、かご本体は、金網によって形成されたものに限定されず、合成樹脂をネット状に形成したもの等に変更しても良い。さらに、かご本体は、下に凸な半球面状のものに限定されず、その他の形状に変更することも可能である。なお、上述の如く、かご本体を浅底に形成した場合には、かご本体の外側に排出された後に排水口本体の内壁に衝突した排水が、再度かご本体の内部に入り込んだりしない、というメリットがある。
【００１９】
加えて、本発明のゴミ収容器を設置する排水口本体の形状も、上記実施形態の如き形状に何ら限定されない。
【００２０】
【発明の効果】
請求項１に記載のゴミ収容器は、かご部材にゴミ貯留部と傾斜部とが設けられているとともに、蓋部材に傾斜部に向けて排水を流下させる案内孔が設けられており、案内孔におけるゴミ貯留部に近い側の周縁に沿って、先端を傾斜部へ向けたガイド片を、かご部材の傾斜部から離した状態で連設したことにより、新たな後続の排水を、かご部材内に貯留したゴミと接触させることなくかご部材の外側に排出するため、かご部材内のゴミの影響によって新たな後続の排水の汚れ度合いが高くなる事態が防止される。また、ガイド片の先端部を傾斜部から離すことで、ゴミが傾斜部に残ることがない。したがって、請求項１に記載のゴミ収容器によれば、従来の流し用ゴミ収容器に比べて、排水の汚れ度合いを低レベルに抑えることができ、環境悪化の防止に大きく貢献することができる。
【図面の簡単な説明】
【図１】ゴミ収納器の平面図である。
【図２】ゴミ収納器および排水口本体を示す断面説明図である。
【図３】ゴミ収納器および排水口本体を示す斜視説明図である。
【図４】ゴミ収容器の使用状態を示す説明図である。
【図５】蓋部材の変更例を示す斜視説明図である。
【図６】ゴミ収納器の変更例および排水口本体を示す断面説明図である。
【図７】ゴミ収納器の変更例を示す斜視説明図である。
【図８】ゴミ収納器の変更例および排水口本体を示す断面説明図である。
【符号の説明】
１、１ａ，１ｂ・・ゴミ収容器、２，２ａ，２ｂ・・かご部材、３，３ａ，３ｂ・・蓋部材、４・・枠体、５・・かご本体、６・・周状突起、７・・ゴミ貯留部、８・・流下阻止部、９・・案内孔、１０・・ガイド片、１１・・排水口本体、１２・・フランジ部、１３・・傾斜部、Ｇ・・ゴミ。
【図１】
0003905185.tif 000002
【図２】
0003905185.tif 000003
【図３】
0003905185.tif 000004
【図４】
0003905185.tif 000005
【図５】
0003905185.tif 000006
【図６】
0003905185.tif 000007
【図７】
0003905185.tif 000008
【図８】
0003905185.tif 000009